(57)【特許請求の範囲】
【請求項１】
インク組成物であって、
顔料と、水に溶解して１０重量％の水溶液とした際に表面張力が３０ｍＮ／ｍ以下となるアルカンジオールと、該インク組成物全重量に対して０．１重量％以上の有機アミンと、該インク組成物全重量に対して０．０５〜０．５重量％のポリシロキサン系界面活性剤と、を少なくとも含有し、かつ、該インク組成物全重量に対する前記アルカンジオールの含有量が７〜２５重量％であることを特徴とするインク組成物。
【請求項２】
前記アルカンジオールが、置換基を有してもよい１，２−アルカンジオールである、請求項１記載のインク組成物。
【請求項３】
前記顔料の固形分が該インク組成物全重量に対して３．０重量％以上である、請求項１又は２に記載のインク組成物。
【請求項４】
前記顔料の含有量が、該インク組成物全重量に対して３．０重量％以上４．０重量％以下であり、
前記アルカンジオールは、該インク組成物全重量に対して１０〜２０重量％含まれる１，２−ヘキサンジオール又は４−メチル−１，２−ペンタンジオールであり、
前記有機アミンは、該インク組成物全重量に対して０．３〜１．０重量％含まれるトリエタノールアミンである、請求項１〜３の何れかに記載のインク組成物。
【請求項５】
インク組成物の調製方法であって、
顔料と、
水に溶解して１０重量％の水溶液とした際に表面張力が３０ｍＮ／ｍ以下となり、かつ、該インク組成物全重量に対する含有量が７〜２５重量％であるアルカンジオールと、
該インク組成物全重量に対する含有量が０．１重量％以上である有機アミンと、
０．１重量％濃度の水溶液とした場合に、静的接触角の経時変化が８度以上１４度以下となるか、あるいは、動的表面張力の経時変化が１０以上となり、かつ、該インク組成物全重量に対する含有量が０．０５〜０．５重量％であるポリシロキサン系界面活性剤と、
を混合することを含む、インク組成物の調製方法。
【請求項６】
下記式で得られる算出値を光沢感として指標することを特徴とする記録画像の光沢感の評価方法。
（光沢感）＝（請求項１〜４の何れかに記載のインク組成物又は請求項５記載の調製方法により調製されたインク組成物によって形成された記録画像の光沢の程度を示す光沢度）／（鮮映性）2
（式中、光沢度は、光源に１２Ｖ５０Ｗのハロゲンランプ、フィルターにＮＤ−１０を用い、感度５００、煽り角度０度において、入射角４５度で幅１ｍｍのスリットから入射光を記録画像に対して照射したときに、該画像により反射されて幅１．５ｍｍのスリットから放出された反射光について、反射角度４２度から４８度の範囲で、標準板の光沢度が４２．５となるように光源に印加する電圧を調整したとき、相対値として測定される反射光強度各値のうちの最高値である。鮮映性は、前記光沢度（反射光強度の最高値）を得る際に測定される反射光強度各値全体の中から、その値が０．６以上となる反射角度の幅である。この条件において標準板の鮮映性は１．３以上１．５以下である。）
【請求項７】
下記式で得られる算出値を光沢感として自動的に計算され、出力されることを特徴とする記録画像の光沢感の測定装置。
（光沢感）＝（請求項１〜４の何れかに記載のインク組成物又は請求項５記載の調製方法により調製されたインク組成物によって形成された記録画像の光沢の程度を示す光沢度）／（鮮映性）2
（式中、光沢度は、光源に１２Ｖ５０Ｗのハロゲンランプ、フィルターにＮＤ−１０を用い、感度５００、煽り角度０度において、入射角４５度で幅１ｍｍのスリットから入射光を記録画像に対して照射したときに、該画像により反射されて幅１．５ｍｍのスリットから放出された反射光について、反射角度４２度から４８度の範囲で、標準板の光沢度が４２．５となるように光源に印加する電圧を調整したとき、相対値として測定される反射光強度各値のうちの最高値である。鮮映性は、前記光沢度（反射光強度の最高値）を得る際に測定される反射光強度各値全体の中から、その値が０．６以上となる反射角度の幅である。この条件において標準板の鮮映性は１．３以上１．５以下である。）
【発明の詳細な説明】
【技術分野】
【０００１】
本発明は、光沢感に優れた記録画像を形成することのできるインク組成物及び人の目視による光沢性の判断と略一致し、指標として優位性を有する、記録画像の光沢感の評価方法に関する。
【背景技術】
【０００２】
従来から、インク組成物等により形成される記録画像、記録物の写像性や光沢性を向上させる技術が種々提案、開示されている。
【０００３】
例えば、特開２００３−１０３８９８号公報では、記録媒体に対して、顔料インクを噴射して顔料画像を形成する工程と、該顔料画像のＣ値を６０以上に調整する調整工程とを有するインクジェット記録方法、及び記録媒体に対して、顔料インクを噴射して得られるインクジェット顔料画像において、Ｃ値が６０以上であるインクジェット顔料画像が開示されている（特許文献１）。尚、該文献にいうＣ値とは、ＪＩＳ−Ｋ−７１０５に規定されている像鮮明度のうち、光学くし２ｍｍを用い反射法により測定した値である。
【０００４】
この文献に記載の発明は、銀塩写真同等の光沢性を有し、ブロンジングがなく、耐水性、酸化ガス耐性に優れ、かつ商業用途、たとえばプリント出力サービスに対応できる高速、連続出力に対応できるインクジェット顔料画像とインクジェット記録方法を提供することを目的として提案されたものである。そして、かかる記録方法としては、調整工程が加熱定着する工程や、加圧する工程を含む実施形態として具体的に示されている。また、顔料画像については、中心線平均粗さＲａ、６０度光沢、顔料粒子の平均粒径等の規定によって、その実施形態が具体的に示されている。
【０００５】
しかし、この技術では、顔料固形分が比較的少なく、また実際には加圧・加熱処理が必要であり、記録画像の充分な光沢性が未だ得られない。
【０００６】
更に、記録画像の光沢性については、従来その評価方法が画一的ではなく、実際に人の目視による光沢性の評価と客観的な数値データとしての評価にズレが生じていた。
【特許文献１】特開２００３−１０３８９８号公報
【発明の開示】
【発明が解決しようとする課題】
【０００７】
本発明が解決しようとする問題点は、前述した従来技術における問題点である。
【０００８】
従って、本発明の目的は、光沢感に優れた記録画像を形成することのできるインク組成物を提供することにある。
【０００９】
また、本発明の他の目的は、人の目視による光沢性の判断と略一致し、指標として優位性を有する、記録画像の光沢感の評価方法を提供することにある。
【課題を解決するための手段】
【００１０】
本発明者は、鋭意研究した結果、アルカンジオール類を一定量以上で、有機アミンとともに用いたインク組成物が、前記目的を達成し得ることの知見を得た。更にその後、アルカンジオール類等を含む特定の非水溶剤と有機アミンとを用いたインク組成物が、前記目的を達成し得ることの知見も得た。
【００１１】
また、本発明者は、少なくとも所定の光沢度と所定の鮮映性から特定される光沢感を指標とした記録画像の光沢感の評価方法が、前記他の目的を達成し得ることの知見も得た。
【００１２】
本発明は、前記知見に基づきなされたもので、「１」インク組成物であって、顔料と、水に溶解して１０重量％の水溶液とした際に表面張力が３０ｍＮ／ｍ以下となるアルカンジオールと、該インク組成物全重量に対して０．１重量％以上の有機アミンと、該インク組成物全重量に対して０．０５〜０．５重量％のポリシロキサン系界面活性剤と、を少なくとも含有し、かつ、該インク組成物全重量に対する前記アルカンジオールの含有量が７〜２５重量％であることを特徴とするインク組成物を提供するものである。
【００１３】
また、本発明は、下記発明をそれぞれ提供する。
【００１４】
「２」前記アルカンジオールが、置換基を有してもよい１，２−アルカンジオールである、１記載のインク組成物。「３」前記顔料の固形分が該インク組成物全重量に対して３．０重量％以上である、１又は２に記載のインク組成物。「４」前記顔料の含有量が、該インク組成物全重量に対して３．０重量％以上４．０重量％以下であり、前記アルカンジオールは、該インク組成物全重量に対して１０〜２０重量％含まれる１，２−ヘキサンジオール又は４−メチル−１，２−ペンタンジオールであり、前記有機アミンは、該インク組成物全重量に対して０．３〜１．０重量％含まれるトリエタノールアミンである、１〜３の何れかに記載のインク組成物。「５」インク組成物の調製方法であって、顔料と、水に溶解して１０重量％の水溶液とした際に表面張力が３０ｍＮ／ｍ以下となり、かつ、該インク組成物全重量に対する含有量が７〜２５重量％であるアルカンジオールと、該インク組成物全重量に対する含有量が０．１重量％以上である有機アミンと、０．１重量％濃度の水溶液とした場合に、静的接触角の経時変化が８度以上１４度以下となるか、あるいは、動的表面張力の経時変化が１０以上となり、かつ、該インク組成物全重量に対する含有量が０．０５〜０．５重量％であるポリシロキサン系界面活性剤と、を混合することを含む、インク組成物の調製方法。
【００１５】
「６」下記式で得られる算出値を光沢感として指標することを特徴とする記録画像の光沢感の評価方法。
【００１６】
（光沢感）＝（１〜４の何れかに記載のインク組成物又は５記載の調製方法により調製されたインク組成物によって形成された記録画像の光沢の程度を示す光沢度）／（鮮映性）2
（式中、光沢度は、光源に１２Ｖ５０Ｗのハロゲンランプ、フィルターにＮＤ−１０を用い、感度５００、煽り角度０度において、入射角４５度で幅１ｍｍのスリットから入射光を記録画像に対して照射したときに、該画像により反射されて幅１．５ｍｍのスリットから放出された反射光について、反射角度４２度から４８度の範囲で、標準板の光沢度が４２．５となるように光源に印加する電圧を調整したとき、相対値として測定される反射光強度各値のうちの最高値である。鮮映性は、前記光沢度（反射光強度の最高値）を得る際に測定される反射光強度各値全体の中から、その値が０．６以上となる反射角度の幅である。この条件において標準板の鮮映性は１．３以上１．５以下である。）
「７」下記式で得られる算出値を光沢感として自動的に計算され、出力されることを特徴とする記録画像の光沢感の測定装置。
【００１７】
（光沢感）＝（請求項１〜４の何れかに記載のインク組成物又は請求項５記載の調製方法により調製されたインク組成物によって形成された記録画像の光沢の程度を示す光沢度）／（鮮映性）2
（式中、光沢度は、光源に１２Ｖ５０Ｗのハロゲンランプ、フィルターにＮＤ−１０を用い、感度５００、煽り角度０度において、入射角４５度で幅１ｍｍのスリットから入射光を記録画像に対して照射したときに、該画像により反射されて幅１．５ｍｍのスリットから放出された反射光について、反射角度４２度から４８度の範囲で、標準板の光沢度が４２．５となるように光源に印加する電圧を調整したとき、相対値として測定される反射光強度各値のうちの最高値である。鮮映性は、前記光沢度（反射光強度の最高値）を得る際に測定される反射光強度各値全体の中から、その値が０．６以上となる反射角度の幅である。この条件において標準板の鮮映性は１．３以上１．５以下である。）
【発明の効果】
【００１８】
本発明のインク組成物によれば、光沢感に優れた記録画像を形成することができ、また、本発明に係る記録画像の光沢感の評価方法によれば、人の目視による光沢性の判断と略一致し、指標として優位性を有する評価が可能となる。
【発明を実施するための最良の形態】
【００１９】
インク組成物
以下、本発明のインク組成物について、その好ましい実施形態に基づき詳細に説明する。
【００２０】
本発明のインク組成物は、既述の通り、水に溶解して１０重量％の水溶液とした際に表面張力が３０ｍＮ／ｍ以下となる非水溶剤と、０．１重量％以上の有機アミンとを少なくとも含有することを特徴とする。
【００２１】
本発明は、上記の構成からなるため、光沢感に優れた記録画像（記録物）を形成することが可能となる。尚、本発明において、「光沢感」とは、後述する評価方法において算出される光沢感を意味する。
【００２２】
本発明に用いられる非水溶剤は、水に溶解して１０重量％の水溶液とした際に表面張力が３０ｍＮ／ｍ以下となる、水以外の溶剤である。
非水溶剤としては、上記特性を備える限り特に制限されるものではないが、記録画像を形成する際に記録媒体等の被記録面への濡れ性を高めてインクの浸透性を高めることができる点で、１又は２以上の親水基を有する有機化合物、例えば、アルカンジオール等が好ましい。アルカンジオールとしては、１，２−アルカンジオール（置換基を有するものも含む。）等が好ましく挙げられる。更に好ましくは１，２−Ｃ（炭素数）４〜８ アルカンジオールであり、より好ましくは１，２−Ｃ４〜６ アルカンジオールであり、最も好ましくは１，２−ヘキサンジオール又は４−メチル−１，２−ペンタンジオールである。
【００２３】
１，２−ヘキサンジオールを使用する場合には、１，２−ヘキサンジオールを水に溶解して１０重量％の溶剤水溶液（表面張力は２６．６ｍＮ／ｍ）として、インク組成物に配合することができる。
また、４−メチル−１，２−ペンタンジオールを使用する場合には、４−メチル−１，２−ペンタンジオールを水に溶解して１０重量％の溶剤水溶液（表面張力は２５．２ｍＮ／ｍ）として、インク組成物に配合することができる。
なお、この表面張力は、自動動的表面張力計ＣＢＶＰ−Ｚ（協和界面科学社製）を用いて、白金プレートで測定した。
【００２４】
非水溶剤のインク組成物全重量に対する含有量は、光沢感に優れる記録画像を形成するという本発明の効果を達成し得る範囲内である限り、特に制限されない。
【００２５】
アルカンジオールを使用する場合のインク組成物全重量に対する含有量は、記録画像を形成する際に記録媒体等の被記録面への濡れ性を高めてインクの浸透性を高めることができ、かつ、インクの吐出安定性と保存安定性の観点から、好ましくは７重量％以上、特に７〜２５重量％、更に好ましくは１０〜２０重量％である。
【００２６】
本発明に用いられる有機アミンとしては、記録画像を形成する際に記録媒体等の被記録面への濡れ性を高めてインクの浸透性を高めることができ、かつ、インク組成物のｐＨを容易に好適な範囲に調整することができる点で、三級アミン等が好ましく挙げられる。三級アミンとしては、例えば、トリエタノールアミン等のアルカノールアミン等が挙げられる。尚、本発明のインク組成物は、そのｐＨが８〜１２、特に８〜１０であることが好ましい。ｐＨがかかる範囲内にあると、インクと接触する部材の劣化を防止することができる。
【００２７】
有機アミンのインク組成物全重量に対する含有量は、０．１重量％以上であるが、記録画像を形成する際に記録媒体等の被記録面への濡れ性を高めてインクの浸透性を高めることができ、かつ、インクの吐出安定性と保存安定性の観点から、好ましくは０．１〜２．０重量％、更に好ましくは０．３〜１．０重量％である。
【００２８】
本発明のインク組成物は、記録画像を形成する際に記録媒体等の被記録面への濡れ性を高めてインクの浸透性を高めることができる点で、ポリシロキサン系界面活性剤を含有することが好ましい。
【００２９】
ポリシロキサン系界面活性剤としては、例えば、静的接触角の経時変化が８度以上１４度以下で、かつ動的表面張力の経時変化が１０以上のもの等が挙げられ、特に、難水性のものが好ましい。
【００３０】
ここで、上述の静的接触角の経時変化は、写真用紙＜光沢＞（セイコーエプソン株式会社製）に０．１重量％濃度の上記界面活性剤水溶液を２３℃で滴下し、該紙に液滴が接触してから０．３秒後の接触角と３０秒後の接触角との差をいう。
【００３１】
また、動的表面張力の経時変化は、動的表面張力計（ＫＲＵＳＳ社製バブルプレッシャー動的表面張力計ＢＰ２型）を使用し、０．１重量％濃度の上記界面活性剤水溶液の動的表面張力を２３℃で測定し、１０Ｈｚ（１０個の泡／１秒）で測定したときと１Ｈｚ（１個の泡／１秒）で測定したときとの動的表面張力の差をいう。
【００３２】
尚、難水性であるかは、上記界面活性剤を２３℃で１０００倍重量希釈（０．１％重量濃度）した場合の白濁度で判断できる。
【００３３】
また、ポリシロキサン系界面活性剤としては、市販されているものを利用することもでき、例えば、ＢＹＫＵＶ３５１０、ＢＹＫ−３４７、ＢＹＫ−３４８等（ビックケミー・ジャパン株式会社製）が挙げられる。中でも、難水性で、アクリル基を有さず、記録画像の摩擦係数が低下し、光沢感を向上できる点で、ＢＹＫＵＶ３５１０が好適である。
【００３４】
更に、本発明のインク組成物には、その他の界面活性剤、具体的には、アセチレングリコール系界面活性剤、アニオン界面活性剤、ノニオン界面活性剤、および両性界面活性剤からなる群から選択される１種以上の界面活性剤を使用することもできる。
【００３５】
これらのうち、アセチレングリコール系界面活性剤としては、例えば、２，４，７，９−テトラメチル−５−デシン−４，７−ジオール、３，６−ジメチル−４−オクチン−３，６−ジオール、または３，５−ジメチル−１−ヘキシン−３オール、２，４−ジメチル−５−ヘキシン−３−オールなどが挙げられる。また、アセチレングリコール系界面活性剤は市販品も利用することができ、例えば、オルフィンＥ１０１０、ＳＴＧ、Ｙ（商品名、日信化学社製）、サーフィノール６１、１０４，８２，４６５，４８５あるいはＴＧ（商品名、Ａｉｒ  Ｐｒｏｄｕｃｔｓ  ａｎｄ  Ｃｈｍｉｃａｌｓ  Ｉｎｃ．製）が挙げられる。
【００３６】
界面活性剤の含有量は、インク組成物の全重量に対して、好ましくは０．０１〜５重量％、更に好ましくは０．０５〜０．５重量％である。
【００３７】
本発明のインク組成物に使用される色材としては、特に制限されず、顔料でも染料でも用いることが可能であるが、特に顔料を用いることが好ましい。
【００３８】
顔料としては、無機顔料及び有機顔料を使用することができ、それぞれ単独又は複数種混合して用いることができる。前記無機顔料としては、例えば、酸化チタン及び酸化鉄の他に、コンタクト法、ファーネス法、サーマル法等の公知の方法によって製造されたカーボンブラック等が使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。具体的には、以下に説明するように、各色インクに応じて所望の顔料が用いられる。尚、以下では、本発明のインク組成物が、ブラックインク、イエローインク、マゼンタインク、ライトマゼンタインク、シアンインク又はライトシアンインクとして適用される場合を例としている。また、顔料は、これらの例示に限定されるものではない。
【００３９】
ブラックインクに使用される顔料としては、カーボンブラックが挙げられ、例えば、三菱化学（株）製のＮｏ．２３００，Ｎｏ．９００，ＨＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等が、コロンビア社製のＲａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等が、キャボット社製のＲｅｇａｌ４００Ｒ，Ｒｅｇａｌ３３０Ｒ，Ｒｅｇａｌ６６０Ｒ，Ｍｏｇｕｌ  Ｌ，Ｍｏｎａｒｃｈ７００，Ｍｏｎａｒｃｈ８００，Ｍｏｎａｒｃｈ８８０，Ｍｏｎａｒｃｈ９００，Ｍｏｎａｒｃｈ１０００，Ｍｏｎａｒｃｈ１１００，Ｍｏｎａｒｃｈ１３００，Ｍｏｎａｒｃｈ１４００等が、デグッサ社製のＣｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，Ｐｒｉｎｔｅｘ  Ｖ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ  ４等が挙げられる。
【００４０】
イエローインクに使用される顔料としては、Ｃ．Ｉ．Ｐｉｇｍｅｎｔ  Ｙｅｌｌｏｗ  １、２、３、１２、１３、１４Ｃ、１６、１７、７３、７４、７５、８３、９３、９５、９７、９８、１１４、１２８、１２９、１５１、１５４等が挙げられる。
【００４１】
マゼンタインク及びライトマゼンタインクに使用される顔料としては、Ｃ．Ｉ．Ｐｉｇｍｅｎｔ  Ｒｅｄ  ５、７、１２、４８（Ｃａ）、４８（Ｍｎ）、５７（Ｃａ）、５７：１、１１２、１２３、１６８、１８４、２０２、Ｃ．Ｉ．Ｐｉｇｍｅｎｔ  Ｖｉｏｌｅｔ  １９等が挙げられる。
【００４２】
シアンインク及びライトシアンインクに使用される顔料としては、Ｃ．Ｉ．Ｐｉｇｍｅｎｔ  Ｂｌｕｅ  １、２、３、１５：３、１５：３４、１６、２２、６０、Ｃ．Ｉ．Ｖａｔ  Ｂｌｕｅ  ４、６０等が挙げられる。
【００４３】
顔料の含有量（顔料固形分）は、普通紙での発色という点で、インク組成物の全重量に対して、３．０重量％以上であることが好ましい。該顔料の含有量は、３．０重量％以上１０．０重量％以下、特に３．０重量％以上４．０重量％以下であることが更に好ましい。
【００４４】
本発明のインク組成物は、既述の顔料を使用するとともに、該顔料を分散するための分散剤を含有するものが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。
【００４５】
また、本発明においては、前記分散剤を含んでいても含んでいなくてもよいが、分散剤を用いず（０重量％）に、自己分散型の顔料を用いることも可能である。尚、自己分散型の顔料は、顔料の表面に−ＣＯＯＨ、−ＣＨＯ、−ＯＨ、−ＳＯ3Ｈ及びこれらの塩からなる群より選ばれる１種又は２種以上等の官能基（分散性付与基）を有するように処理された顔料であって、分散剤を別途配合せずとも、水系のインク中で均一に分散し得るものである。ここでいう「分散」とは、自己分散型の顔料が分散剤なしに水中に安定に存在している状態をいい、分散している状態のもののみならず、溶解している状態のものも含むものとする。
【００４６】
本発明のインク組成物の全重量に対する分散剤の含有量は、固形分換算で好ましくは０．１〜１０重量％、更に好ましくは０．３〜６重量％である。
【００４７】
また、分散剤は、顔料の重量を基準とすれば、固形分換算で、通常１４０重量％以下、好ましくは１５〜６０重量％で含まれる。
【００４８】
本発明のインク組成物は、インクジェット用に用いた場合に、インクの乾燥を防いでインクジェットプリンタのヘッドでの目詰まりを防止する観点から、多価アルコール類を含むことが好ましい。
【００４９】
多価アルコール類としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等が挙げられる。
【００５０】
多価アルコール類の含有量は、インク組成物の全重量に対して、好ましくは０．１〜３０重量％、更に好ましくは０．５〜２０重量％である。
【００５１】
本発明のインク組成物は、難水性の界面活性剤の溶解性を高める観点から、グリコールエーテル類を含むこともできる。
【００５２】
グリコールエーテル類としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテル等のような多価アルコールの低級アルキルエーテルを挙げることができる。特に、トリエチレングリコールモノブチルエーテルを用いると良好な記録品質を得ることができる。
【００５３】
このグリコールエーテル類の含有量は、インク組成物の全重量に対して、好ましくは０．１〜２５．０重量％、更に好ましくは０．１〜７．０重量％である。
【００５４】
また、本発明のインク組成物には、その他の浸透促進作用を有する物質、例えば、メタノール、エタノール、ｉｓｏ−プロピルアルコール等の低級アルコール類等を含有させることもできる。
【００５５】
本発明のインク組成物は、その用途に特に制限されないが、インクジェットプリンタを用いたインクジェット記録や、インクジェット法を応用した各種機能素子への吐出システム等のインクジェット用であることが好ましい。
【００５６】
本発明のインク組成物は、特定の非水溶剤及び有機アミン、並びに前述したその他の各種添加剤を含有するとともに、通常、溶媒として水を含有する。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００５７】
本発明のインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤等の他の添加剤を含有させることができ、これらの１種又は２種以上が用いられる。
【００５８】
本発明のインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００５９】
本発明のインク組成物は、前述した構成によって、光沢感に優れた記録画像を形成することができる。本発明のインク組成物によれば、Ｄｕｔｙ８０％において光沢感が２．５以上の記録画像を形成することができる。特に、好適なインク組成物としては、Ｄｕｔｙ８０％において光沢感が３．５以上の記録画像を形成するものである。
【００６０】
また、本発明のインク組成物によれば、２次色のＤｕｔｙ８０％における光沢感が２．５以上の記録画像を形成することができる。
【００６１】
また、本発明のインク組成物によれば、Ｄｕｔｙ８０％において光沢度が４０以上で、鮮映性が４．０未満の記録画像を形成することができる。尚、本発明において、「光沢度」及び「鮮映性」とは、それぞれ後述する評価方法において定義される光沢度及び鮮映性を意味する。特に、好適なインク組成物としては、Ｄｕｔｙ８０％において光沢度が５０以上で、鮮映性が３．８以下の記録画像を形成するものである。
【００６２】
本発明のインク組成物は、また、次に示す各Ｄｕｔｙにおける記録画像の光沢感、光沢度、鮮鋭性を付与することも可能である。
【００６３】
Ｄｕｔｙ１００％；光沢感２．８以上、好ましくは３．７以上、
光沢度４０．０以上、好ましくは４８．０以上、
鮮映性３．８以下、好ましくは３．６以下。
【００６４】
Ｄｕｔｙ６０％；光沢感１．７以上、好ましくは２．４以上、
光沢度３５．０以上、好ましくは４５．０以上、
鮮映性４．５以下、好ましくは４．３以下。
【００６５】
本発明はまた、複数のインク組成物を備えてなるインクセットにおいて、前述したインク組成物を少なくとも備えることを特徴とするインクセットを提供することができる。本発明のインクセットによれば、光沢感に優れた複数色からなる記録画像を得ることができる。
【００６６】
本発明はまた、前述したインク組成物を少なくとも収容してなることを特徴とするインクカートリッジを提供することができる。本発明のインクカートリッジによれば、光沢感に優れた記録画像を得ることができるインクを容易に運搬等することが可能となる。
【００６７】
本発明はまた、前述したインク組成物により記録する記録方法、インクジェットプリンタ等の記録装置その他の記録システムを提供することができる。本発明の記録システムによれば、光沢感に優れた記録画像を得ることができる。
【００６８】
本発明はまた、前述したインク組成物により被記録面上に画像か形成されてなる記録物を提供することができる。本発明の記録物によれば、光沢感に優れた記録画像を備えた記録物を得ることができる。
【００６９】
記録画像の光沢感の評価方法
本発明の評価方法は、下記式で得られる算出値を光沢感として指標することを特徴とする。
【００７０】
（光沢感）＝（光沢度）／（鮮映性）2
【００７１】
ここで、光沢度とは、前述したインク組成物等によって形成された記録画像の光沢の程度を示すものであって、光源に１２Ｖ５０Ｗのハロゲンランプ、フィルターにＮＤ−１０を用い、感度５００、煽り角度０度において、入射角４５度で幅１ｍｍのスリットから入射光を記録画像に対して照射したときに、該画像により反射されて幅１．５ｍｍのスリットから放出された反射光について、反射角度４２度から４８度の範囲で、標準板の光沢度が４２．５となるように光源に印加する電圧を調整したとき、相対値として測定される反射光強度各値のうちの最高値をいう。ここでいう標準板とは、屈折率１．５１９の黒色光学ガラスをいう。かかる光沢度は、図３に示すような測定方法によって測定される。尚、図３は、光沢度の測定法について説明するための概略図である。光沢度は、村上色彩技術研究所のＧＰ−２００型で、上記測定条件において得ることができる。
【００７２】
また、鮮映性とは、前述したインク組成物等によって形成された記録画像の鮮映の程度を示すもの（写像性ともいう）であって、前述の光沢度（反射光強度の最高値）を得る際に測定される反射光強度各値全体の中から、その値が０．６以上となる反射角度の幅をいう。詳細には、図４に示すグラフのうち矢印で示す部分が鮮映性を示す。尚、図４は、反射角度と光沢度との関係を示すグラフで、鮮映性について説明するための概略図である。鮮映性は、村上色彩技術研究所のＧＰ−２００型で、上記測定条件において得られたデータを解析することにより得ることができる。
【００７３】
本発明の評価方法によれば、人の目視による光沢性の判断と略一致し、記録画像の光沢感の指標として優位性を得ることができる。
【００７４】
光沢感の測定装置
本発明の測定装置は、下記式で得られる算出値を光沢感として自動的に計算され、出力されるものである。
【００７５】
（光沢感）＝（光沢度）／（鮮映性）2
式中の光沢感、光沢度及び鮮映性についての意義は、前述した評価方法で詳述した事項と同様である。
【００７６】
本発明の測定装置によれば、人の目視による光沢性の判断と略一致し、記録画像の光沢感の指標として優位性を得ることができる。
【００７７】
実施例
以下に、本発明の実施例及び試験例を挙げて、本発明をより具体的に説明するが、本発明は、かかる実施例により何等制限されるものではない。尚、特に断りのない限り、配合の割合（％、部）及び比は、それぞれ重量％、重量部及び重量比を示す。
【００７８】
（インク組成物の調製及び記録画像の作成）
表１に示す組成のインク組成物を調製し、該インク組成物をインクジェットプリンタＭＣ２０００（セイコーエプソン株式会社製）のインクカートリッジに充填し、該インクを、写真用紙＜光沢＞（セイコーエプソン株式会社製）に、Ｄｕｔｙ１００％、８０％、６０％及び４０％でベタ印刷（着色部分は７ｃｍ＊１９ｃｍ）した。なお、解像度は７２０＊７２０ｄｐｉとした。
【００７９】
【表１】
0004793619.tif 000002
（記録物の評価）
得られた記録物について以下の方法に従い耐擦性、光沢度、鮮映性、光沢感を評価した。
【００８０】
耐擦性：
ＪＩＳ規格に用いられている、東洋精機製サウザランド・ラブテスタ試験機を用いて、記録物の記録部分（画像部分）を稼動部に巻きつけ、ステージ上には、セイコーエプソン株式会社製両面上質紙を取り付け、記録部分を両面上質紙と１０回擦りつけた。尚、試験には、記録後２４時間経過した記録物を用いた。
【００８１】
光沢度：
村上色彩技術研究所の自動変角光度計（ＧＰ−２００型）を使用し、入射角45度（スリット幅：入射側φ1ｍｍ、反射側φ１．５ｍｍ）、感度５００、煽り角度０度で、反射角４２度〜４８度の反射光強度を測定した。このとき、光源に１２Ｖ５０Ｗのハロゲンランプ、フィルターにＮＤ−１０を用い、標準板の光沢度が４２．５になるように、光源に印加する電圧を調整した。記録物の光沢度は、この測定条件下で測定される反射光強度各値のうちの最高値を言うものとする。なお、再現誤差は±２．０以下であった。また、各インク組成物により得られた記録物のＤｕｔｙと光沢度との関係を図１に示す。
【００８２】
鮮映性：
前記条件下での反射光強度（各値全体）の測定結果から、反射光強度の値が０．６以上となる反射角度の幅を鮮映性として評価した。尚、再現誤差は±０．２以下であった。
【００８３】
光沢感：
前記の光沢度及び鮮映性の評価結果を用いて、下記式で得られる算出値を求めた。
【００８４】
（光沢感）＝（光沢度）／（鮮映性）2
また、各インク組成物により得られた記録物のＤｕｔｙと光沢感との関係を図２に示す。
【００８５】
また、記録物の光沢性の目視判定も行った。この判定試験者は、無作為に抽出した２０代から４０代の５０名である。また、判定基準は、次の通りである。
【００８６】
光沢性の目視判定基準：
Ｓ：完全な鏡面と認識できるレベルの光沢性を感じる。
【００８７】
ＡＡ：光沢性を充分に感じる。
【００８８】
Ａ：光沢性が若干、不充分に感じる。
【００８９】
Ｂ：光沢性が不充分に感じる。
【００９０】
Ｃ：光沢性がないことがはっきりとわかる。
【００９１】
以上の評価結果を表２に示す。
【００９２】
【表２】
0004793619.tif 000003
表２と図１及び図２のグラフから明らかなように、Ｄｕｔｙ６０％とＤｕｔｙ８０％による記録画像において、目視では明らかな有意差があるにも拘らず、光沢度を指標とした場合は、数値的有意差は認められない。よって、光沢度は指標として不充分である。
【００９３】
また、Ｄｕｔｙ６０％による記録画像において、実施例１〜２で得られた記録画像と、比較例１〜２で得られた記録画像とは、目視では明らかな有意差があるにも拘らず、鮮映性を指標とした場合は、再現誤差を考慮すると数値的優位性が小さい。
【００９４】
よって、本発明の評価方法に係る光沢感であれば、目視の光沢性の判定と極めて高く一致し、数値的優位性もあり、指標として充分である。
【００９５】
実施例４
実施例１のインク組成物中の１，２−ヘキサンジオールを、４−メチル−１，２−ペンタンジオールに代えた以外は、成分、配合量の全てを実施例１と同様にして調製し、同様の評価を行った。その結果、実施例４のインク組成物は、光沢感と光沢性の目視判定との相関について実施例１と同様の傾向が見られ、実施例１のインク組成物と同様の結果が得られた。
【産業上の利用可能性】
【００９６】
本発明は、光沢感に優れた記録画像を形成することのできるインク組成物、及び人の目視による光沢性の判断と略一致し、指標として優位性を有する、記録画像の光沢感の評価方法として、産業上の利用可能性を有する。
【図面の簡単な説明】
【００９７】
【図１】図１は、実施例に係る各インク組成物により得られた記録物のＤｕｔｙと光沢度との関係を示すグラフである。
【図２】図２は、実施例に係る各インク組成物により得られた記録物のＤｕｔｙと光沢感との関係を示すグラフである。
【図３】図３は、記録画像の光沢度の測定法について説明するための概略図である。
【図４】図４は、反射角度と光沢度との関係を示すグラフで、記録画像の鮮映性について説明するための概略図である。
【図１】
0004793619.tif 000004
【図２】
0004793619.tif 000005
【図３】
0004793619.tif 000006
【図４】
0004793619.tif 000007